(57)【要約】【課題】無線通信装置内蔵テレビジョン受像機において、ＢＳ／ＣＳチェンネル選局時に設定する周波数の高調波が使用している無線通信用周波数帯域に対して妨害を与える場合、使用している無線通信用周波数帯域を切り換え妨害を回避することを目的とする。【解決手段】表示装置１１０からＢＳ／ＣＳチャンネル選局要求を無線アンテナ１０４、無線通信部１０３を介して制御部１０６に送信する手段と、制御部１０６は前記ＢＳ／ＣＳチャンネル選局要求が送信装置１０１の使用している無線通信用周波数帯域に妨害になると判別する手段と、妨害になると判別した時に前記使用している無線通信周波数帯域を妨害を受けない周波数帯域に切り換える手段を備えることを特徴とする。【選択図】図２
2006254021.tif 000002
【特許請求の範囲】
【請求項１】
表示装置からＢＳ／ＣＳチャンネル選局要求を送信装置無線アンテナ及び送信装置無線通信部を経由して送信装置制御部に送信する手段と、
送信装置制御部は前記ＢＳ／ＣＳチャンネル選局要求が送信装置の使用している無線通信用周波数帯域に対して妨害となる組み合わせを判別する手段と、
妨害となる組み合わせと判別した時に、送信装置の使用している無線通信用周波数帯域をＢＳ／ＣＳチャンネル選局要求と組み合わせて妨害を受けない周波数帯域に切り換える手段を備えることを特徴とする無線通信装置内蔵テレビジョン受像機。
【請求項２】
請求項１の無線通信装置内蔵テレビジョン受像機であって、
表示装置から使用している無線通信用周波数帯域切り換え要求を送信装置無線アンテナ及び送信装置無線通信部を経由して送信装置制御部に送信する手段と、
送信装置制御部は前記無線通信用周波数帯域切り換え要求が送信装置の使用しているＢＳ／ＣＳチャンネル選局により妨害を受ける組み合わせを判別する手段と、
妨害となる組み合わせと判別した時に、送信装置の使用しているＢＳ／ＣＳチャンネル選局を無線通信用周波数帯域要求と組み合わせて妨害を受けないように切り換える手段を備えることを特徴とする無線通信装置内蔵テレビジョン受像機。
【発明の詳細な説明】
【技術分野】
【０００１】
本発明は、無線通信装置内蔵テレビジョン受像機に関し、更に詳しくは、ＢＳ／ＣＳチャンネル選局時においてＢＳ／ＣＳチューナーに設定する周波数の高調波が通信で使用している無線通信用周波数帯域に妨害を与え通信が困難になることを回避することが可能な無線通信装置内蔵テレビジョン受像機に関する。
【背景技術】
【０００２】
従来、ＢＳ／ＣＳチューナーを含む送信装置と表示装置とを別個として構成し、送信装置で受信したテレビジョン放送信号を無線通信により表示装置へ送信し、表示装置において受信したテレビジョン放送信号に所定の処理を施した後テレビジョン画面として提供するシステムが公知である（例えば、特許文献１参照）。
【特許文献１】特開２００１−３５８９６６号公報
【発明の開示】
【発明が解決しようとする課題】
【０００３】
しかしながら、上記従来のシステムでは、無線通信用アンテナとＢＳ／ＣＳチューナーとが送信装置に内蔵される場合や、無線通信用アンテナがＢＳ／ＣＳチューナーを内蔵している送信装置の近傍に設置される場合に、選局時ＢＳ／ＣＳチューナーに設定する周波数の高調波を物理的な距離が近い無線通信用アンテナが受信して使用している無線通信用周波数帯域と重なる妨害により無線通信が出来なくなるという問題であった。
【０００４】
本発明は、上記問題に鑑み、ＢＳ／ＣＳチューナー電気回路を対策することによって前期高調波の低減を図ったり、ＢＳ／ＣＳチューナーと無線アンテナとを物理的に距離を隔てることなく無線通信を行うことが可能な無線通信装置内蔵テレビジョン受像機を提供することを目的とする。
【課題を解決するための手段】
【０００５】
本発明の請求項１に係る無線通信装置内蔵テレビジョン受像機は、表示装置からＢＳ／ＣＳチャンネル選局要求を送信装置無線アンテナ及び送信装置無線通信部を経由して送信装置制御部に送信する手段と、送信装置制御部は前記ＢＳ／ＣＳチャンネル選局要求が送信装置の使用している無線通信用周波数帯域に対して妨害となる組み合わせを判別する手段と、妨害となる組み合わせと判別した時に、送信装置の使用している無線通信用周波数帯域をＢＳ／ＣＳチャンネル選局要求と組み合わせて妨害にならないように切り換える手段を備えることを特徴とする。
【０００６】
本発明の請求項２に係る無線通信装置内蔵テレビジョン受像機は、表示装置から使用している無線通信用周波数帯域切り換え要求を送信装置無線アンテナ及び送信装置無線通信部を経由して送信装置制御部に送信する手段と、送信装置制御部は前記無線通信用周波数帯域切り換え要求が送信装置の使用しているＢＳ／ＣＳチャンネル選局により妨害を受ける組み合わせを判別する手段と、妨害となる組み合わせと判別した時に、送信装置の使用しているＢＳ／ＣＳチャンネル選局を無線通信用周波数帯域要求と組み合わせて妨害にならないように切り換える手段を備えることを特徴とする。
【発明の効果】
【０００７】
本発明により、ＢＳ／ＣＳチューナーに設定する周波数の高調波により通信で使用している無線通信用周波数帯域への妨害をＢＳ／ＣＳチューナー電気回路を対策することによって妨害低減対策を図ったり、ＢＳ／ＣＳチューナーと無線アンテナとを物理的に距離を隔てることなく回避することが可能となる。
【発明を実施するための最良の形態】
【０００８】
（実施の形態１）
図１は、本発明の実施の形態１に係る無線通信装置内蔵テレビジョン受像機の構成を示すブロック図である。無線通信装置内蔵テレビジョン受像機は、送信装置１０１と表示装置１１０から構成される。
【０００９】
送信装置１０１は、ＢＳ／ＣＳチューナー部１０２と、無線通信部１０３と、無線アンテナ１０４と、判断部１０５と、制御部１０６及び記憶部１０７から構成される。
【００１０】
ＢＳ／ＣＳチューナー部１０２は、選局の為の周波数を設定してＢＳ／ＣＳチャンネル選局を行いＢＳ／ＣＳアンテナ（図示せず）から衛星放送を受信する。無線通信部１０３は、表示装置１１０から通信で使用する無線通信用周波数帯域を使い送信されてくるＢＳ／ＣＳチャンネル選局要求及び通信で使用する無線通信用周波数帯域の切り換え要求を制御部１０６に送信する。また、制御部１０６からの制御により通信で使用する無線通信用周波数帯域を切り換える。また、制御部１０６からの無線通信用周波数帯切り換え要求を無線アンテナ１０４を介して受信装置１１０に送信する。
【００１１】
無線アンテナ１０４は、表示装置１１０から通信で使用する無線通信用周波数帯域を使い送信されてくる電波を無線通信部１０３に伝える。また、無線通信部１０３から送信された電波を表示装置１１０に伝える。
【００１２】
判断部１０５は、制御部１０６の問い合わせによりＢＳ／ＣＳチューナー部１０２がＢＳ／ＣＳチューナーに設定する周波数の高調波と、通信に使用している無線通信用周波数帯域とが重なることにより妨害となる組み合わせを計算又は、記憶部１０７に記憶している対応データ表から求める。前期計算は、ＢＳ／ＣＳチューナー部１０２が設定する周波数の下限の整数倍が使用している無線通信周波数帯域の範囲に入れば重なると判断する。または、ＢＳ／ＣＳチューナー部１０２が設定する周波数の上限の整数倍が使用している無線通信周波数帯域の範囲に入れば重なると判断する。また、前記対応データ表は、前記計算に基づき予め計算して妨害となる組み合わせを作成し記憶部１０７に記憶する。
【００１３】
制御部１０６は、表示装置１１０から無線アンテナ１０４と無線通信部１０３とを介してＢＳ／ＣＳチャンネル選局要求ないし通信で使う無線通信用周波数帯域切り換え要求を受け取る。ＢＳ／ＣＳチャンネル選局要求を受けた場合はＢＳ／ＣＳチューナー部１０２を制御してＢＳ／ＣＳチャンネルを切り換える。また、通信で使う無線通信用周波数帯域切り換え要求を受けた場合は無線通信部１０３を制御して無線通信用周波数帯域を切り換える。表示装置１１０から無線アンテナ１０４と無線通信部１０３とを介してＢＳ／ＣＳチャンネル選局要求を受け取り判断部１０５が重なると判断した場合は、表示装置１１０に対して使用可能な高い周波数帯域への無線通信用周波数帯域切り換え要求を送信し及び無線通信用周波数帯域を使用可能な高い周波数帯に切り換える。現在使用している無線通信用周波数帯域が使用可能な周波数帯域の上限であれば、表示装置１１０に対して使用可能な下限の周波数帯域への無線通信用周波数帯域切り換え要求を送信し及び下限の周波数帯域に切り換える。表示装置１１０から無線アンテナ１０４と無線通信部１０３とを介して通信で使う無線通信用周波数帯域切り換え要求を受け取り判断部１０５が重なると判断した場合は、ＢＳ／ＣＳチューナーの設定を使用可能な高いＢＳ／ＣＳチャンネルに切り換える。現在使用しているＢＳ／ＣＳチャンネルが使用可能なチャンネルの上限であれば、下限のＢＳ／ＣＳチャンネル選局に切り換える。
【００１４】
記憶部１０７は前記対応データを記憶している。
【００１５】
受信装置１１０は、無線アンテナ１１１と、無線通信部１１２及び制御部１１３から構成される。
【００１６】
無線アンテナ１１１は、送信装置１０１から通信で使用する無線通信用周波数帯域を使い受信した電波を無線通信部１１２に伝える。また、無線通信部１１２から送信される電波を送信装置１０１に伝える。無線通信部１１２は、制御部１１３から受信したＢＳ／ＣＳチャンネル選局要求又は無線通信用周波数帯域切り換え要求を無線アンテナ１１１を介して送信装置１０１に送信する。また、制御部１１３からの制御により通信で使用する無線通信用周波数帯域を切り換える。また、送信装置１０１から無線アンテナ１１１を介して受信した無線通信用周波数帯域切り換え要求を制御部１１３に送信する。
【００１７】
制御部１１３は、無線通信装置内蔵テレビジョン受像機の使用者からの制御によりＢＳ／ＣＳチャンネル選局要求又は無線通信用周波数帯域切り換え要求を無線通信部１１２と、無線アンテナ１１１を介して送信装置１０１に送信する。また、無線通信用周波数帯域切り換え要求を送信した後に無線通信部１１２を制御して通信で使用する無線通信用周波数帯域を切り換える。また、送信装置１０１から無線アンテナ１１１と無線通信部１１２を介して受信した無線通信用周波数帯域切り換え要求により無線通信部１１２を制御して通信で使用する無線通信用周波数帯域を切り換える。
【００１８】
次に、本実施の形態による無線通信装置内蔵テレビジョン送信装置１０１のＢＳ／ＣＳチューナー選局要求及び／又は無線通信用周波数帯域切り換え要求制御の動作を図２に示すフローチャートを用いて説明する。
【００１９】
制御部１０６は表示装置１１０からのＢＳ／ＣＳチャンネル選局要求又は通信で使用する無線通信用周波数帯域の切り換え要求が発生するのを待っている（ステップ２０１、ステップ２０７）。表示装置１１０からの要求がＢＳ／ＣＳチャンネル選局要求かを判断する（ステップ２０１）。制御部１０６は前記ＢＳ／ＣＳチャンネル選局要求が通信に使用している無線通信用周波数帯域への妨害になる組み合わせであるかを判断部１０５に問い合わせて判断する（ステップ２０２）。
【００２０】
前記ＢＳ／ＣＳチャンネル選局要求によりＢＳ／ＣＳチューナー部１０２が設定する周波数の高調波が通信に使用している無線通信用周波数帯域と重なれば妨害になるため、通信で使う無線通信用周波数帯域を妨害にならない組み合わせに変更する。制御部１０６は現在使用している無線通信用周波数帯域が使用可能な周波数帯域の上限かを判断部１０５に問い合わせて判断する（ステップ２０３）。制御部１０６は上限でなければ表示装置１１０へ無線通信用周波数帯域を高い周波数帯域への切り換え要求を送信し、無線通信部１０３を前記高い周波数帯域に切り換え（ステップ２０５）、上限であれば使用可能な下限の周波数帯域への切り換え要求を表示装置１１０に送信し、無線通信部１０３を切り換え（ステップ２０４）て、ＢＳ／ＣＳチューナー部１０２を制御して選局を行う（ステップ２０６）。
【００２１】
制御部１０６は表示装置１１０からの要求が、通信で使用する無線通信用周波数帯域の切り換え要求かを判断する（ステップ２０７）。制御部１０６は前記無線通信用周波数帯域の切り換え要求がＢＳ／ＣＳチューナー選局による妨害になる組み合わせであるかを判断部１０５に問い合わせて判別する（ステップ２０８）。
【００２２】
前記無線通信用周波数帯域の切り換え要求が現在のＢＳ／ＣＳチューナー選局により設定している周波数の高調波と重なる組み合わせであれば妨害になるため、ＢＳ／ＣＳチャンネルを妨害にならない組み合わせに変更する。制御部１０６は現在使用しているＢＳ／ＣＳチャンネルは使用可能な上限のチャンネルかを判断部１０５に問い合わせて判断する（ステップ２０９）。制御部１０６は上限のＢＳ／ＣＳチャンネルでなければＢＳ／ＣＳチューナー部１０２を制御して高い周波数のＢＳ／ＣＳチャンネルに切り換え（ステップ２１１）、上限であればＢＳ／ＣＳチューナー部１０２を制御して使用可能な下限の周波数のＢＳ／ＣＳチャンネルに切り換えて（ステップ２１０）、無線通信部１０３を制御して無線通信用周波数帯域を切り換る（ステップ２１２）。
【００２３】
次に、本実施の形態による無線通信装置内蔵テレビジョン送信装置１０１の妨害となる送信装置ＢＳ／ＣＳチューナー設定と無線通信用周波数帯域との組み合わせをＢＳ選局を例に対応データ表を用いて説明する。
【００２４】
対応データ表はチャンネル番号とチャンネル番号を選局する時に設定する周波数の高調波が重なる無線通信用周波数帯域とから構成される。
【００２５】
ＢＳチャンネル１１を選局するために、設定する周波数の下限が１６３９ＭＨｚであり上限が１６４９ＭＨｚであるＢＳ／ＣＳチューナー部１０２を使用した場合３倍の高調波は下限が４９１７ＭＨｚ、上限が４９４９ＭＨｚとなる。この周波数帯域は無線通信用周波数帯域４９００ＭＨｚから４９２０ＭＨｚ、４９２０ＭＨｚから４９４０ＭＨｚ、４９４０ＭＨｚから４９６０ＭＨｚに重なる。
【００２６】
同様にＢＳチャンネル１３を選局するために、設定する周波数の下限が１６７７ＭＨｚであり上限が１６８７ＭＨｚであるＢＳ／ＣＳチューナー部１０２を使用した場合３倍の高調波は下限が５０３１ＭＨｚ、上限が５０６１ＭＨｚとなる。この周波数帯域は無線通信用周波数帯域５０３０ＭＨｚから５０５０ＭＨｚ、５０５０ＭＨｚから５０７０ＭＨｚに重なる。
【００２７】
同様にＢＳチャンネル１５を選局するために、設定する周波数の下限が１７１５ＭＨｚであり上限が１７２５ＭＨｚであるＢＳ／ＣＳチューナー部１０２を使用した場合３倍の高調波は下限が５１４５ＭＨｚ、上限が５１７５ＭＨｚとなる。この周波数帯域は無線通信用周波数帯域５１７０ＭＨｚから５１９０ＭＨｚに重なる。
【産業上の利用可能性】
【００２８】
以上のように、本発明の無線通信装置内蔵テレビジョン受像機によれば、ＢＳ／ＣＳチューナーに設定する周波数の高調波により通信で使用している無線通信用周波数帯域への妨害をＢＳ／ＣＳチューナー電気回路を対策することによる妨害低減の対策及び／又はＢＳ／ＣＳチューナーと無線アンテナとを物理的に距離を隔てることなく回避できるため全ての無線通信機能を内蔵したテレビジョン受像機に有用である。
【図面の簡単な説明】
【００２９】
【図１】本発明の実施の形態における無線通信装置内蔵テレビジョン受像機の構成を示すブロック図
【図２】同実施の形態におけるＢＳ／ＣＳチューナー選局要求及び／又は無線通信用周波数帯域切り換え要求制御の動作を示すフローチャート
【図３】同実施の形態におけるＢＳ／ＣＳチューナー選局時に設定する周波数の高調波と無線通信用周波数帯域とが重なる組み合わせ対応データ表を示す図
【符号の説明】
【００３０】
１０１    送信装置
１０２    ＢＳ／ＣＳチューナー部
１０３    無線通信部
１０４    無線アンテナ
１０５    判断部
１０６    制御部
１０７    記憶部
１１０    表示装置
１１１    無線アンテナ
１１２    無線通信部
１１３    制御部
【図１】
2006254021.tif 000003
【図２】
2006254021.tif 000004
【図３】
2006254021.tif 000005